(57)【要約】  負荷または電気線路を保護するための電気機械式スイッチング装置（１０）は、少なくとも１つの熱的トリガ素子（１０２）および少なくとも１つのスイッチング装置内部の熱源（１０１，１０４，１０８，１０９）を有している。前記電気機械式スイッチング装置（１０）は少なくとも１つの前記熱的トリガ素子（１０２）に対して前記スイッチング装置内部の熱源（１０１，１０４，１０８，１０９）の少なくとも１つからの熱的結合部（１０６，１０７，１１０）を有している。本発明は前記熱的結合部の使用法の権利範囲もまた請求する。
2010516031.tif 000002
【特許請求の範囲】
【請求項１】
負荷または電気線路の保護のための電気機械式スイッチング装置（１０）であって、該電気機械式スイッチング装置（１０）は少なくとも１つの熱的トリガ素子（１０２）および少なくとも１つのスイッチング装置内部の熱源（１０１，１０４，１０８，１０９）を備えている、形式の電気機械式スイッチング装置（１０）において、
前記電気機械式スイッチング装置（１０）が少なくとも１つの前記熱的トリガ素子（１０２）に対して、前記スイッチング装置内部の熱源（１０１，１０４，１０８，１０９）の少なくとも１つからの熱的結合部（１０６，１０７，１１０）を有するように構成されていることを特徴とする電気機械式スイッチング装置（１０）。
【請求項２】
前記熱的結合部（１０６，１０７，１１０）は前記熱的トリガ素子（１０２）の補償ストリップ（１０５）の間に取り付けられている、請求項１記載の電気機械式スイッチング装置（１０）。
【請求項３】
前記補償ストリップ（１０５）は、前記電気機械式スイッチング装置（１０）の周辺温度を受容し、トリガ特性を前記熱的トリガ素子（１０２）の少なくとも１つによって調整するように形成されている、請求項２記載の電気機械式スイッチング装置（１０）。
【請求項４】
前記熱的結合部（１０６，１０７，１１０）はスイッチング装置内部の熱源（１０６，１０７，１１０）の少なくとも２つを熱的に結合している、請求項１から３までのいずれか１項記載の電気機械式スイッチング装置（１０）。
【請求項５】
前記電気機械式スイッチング装置（１０）は三相交流適用のための多相スイッチング装置であり、前記熱的結合部（１０６，１０７，１１０）は複数相の少なくとも２つの位相の前記スイッチング装置内部の熱源（１０１，１０４，１０８，１０９）を熱的に結合している、請求項１から４までのいずれか１項記載の電気機械式スイッチング装置（１０）。
【請求項６】
前記熱的結合部（１０６，１０７，１１０）は少なくとも１つの伝熱性の重合体、共重合体、セラミック用金属および／または電気絶縁性で良好な伝熱材料から構成されている、請求項１から５までのいずれか１項記載の電気機械式スイッチング装置（１０）。
【請求項７】
少なくとも１つの前記スイッチング装置内部の熱源（１０１，１０４，１０８，１０９）は、少なくとも１つの電気線路（１１）に対する少なくとも１つの端子（１０４）、少なくとも１つの固定スイッチ部分（１０８）、少なくとも１つの可動スイッチ部分（１０９）および／または少なくとも１つのコンタクト（１０１）を含んでいる、請求項１から６までのいずれか１項記載の電気機械式スイッチング装置（１０）。
【請求項８】
前記電気機械式スイッチング装置（１０）はパワースイッチ、リミッタ若しくは小型分岐盤であるか、またはパワースイッチ、リミッタ若しくは小型分岐盤を含んでいる、請求項１から７までのいずれか１項記載の電気機械式スイッチング装置（１０）。
【請求項９】
電気線路または負荷の保護のための電気機械式スイッチング装置（１０）における、前記電気機械式スイッチング装置（１０）内での障害パラメータの阻止のための熱的結合部（１０６，１０７，１１０）の使用法において、前記熱的結合部（１０６，１０７，１１０）が少なくとも１つのスイッチング装置内部の熱源（１０１，１０４，１０８，１０９）から熱的トリガ素子（１０２）、殊に補償ストリップ（１０５）にかけて配設され、前記補償ストリップ（１０５）が前記電気機械式スイッチング装置（１０）の周辺温度を受容し、前記熱的トリガ素子（１０２）のトリガ特性が調整されるように形成されることを特徴とする使用法。
【発明の詳細な説明】
【技術分野】
【０００１】
電気機械式スイッチング装置は負荷ないし電気線路を保護するために使用されている。障害が過負荷の形態で生じる場合には、負荷および線路は電気線路中を流れる電流によって急激に熱せられる。その結果として生じる火事並びに負荷および線路の破損を回避するために、過負荷に対する保護を提供する電気機械式スイッチング装置を使用することが、様々な適用状況において必然的に行われている。このような目的のために大抵は、しばしば過負荷に対する保護をもたらす確かな能力を提供する熱的トリガ素子が使用される。
【背景技術】
【０００２】
少なくとも１つの熱的トリガ素子を備えた電気機械式スイッチング装置においては、トリガを引き起こす限界電流を表すトリガ特性が存在している。
【０００３】
熱的トリガ素子の機能性に起因して、周辺温度はトリガ特性に大きな影響力を有している。それ故に補償ストリップによって周辺温度に対してはアクティブに反応する。この補償ストリップは周辺温度を受容し、トリガ特性を温度補償によって調整する。その目的は限界電流を種々の周辺温度のもとで安定して保つことである。
【０００４】
限界電流はスイッチング装置の寿命期間中、可能な限り一定にないし安定して保たれるべきである。種々の接続形式またはコンタクトの劣化のような障害パラメータがスイッチング装置における熱特性を変化させる。それ故に障害パラメータも限界電流安定性に影響を及ぼす。
【０００５】
これまでの電気機械式スイッチング装置の開発では、熱的トリガ素子の限界電流安定性の障害的影響を最小にしていた。そしてこのことは、コンタクトおよび端子を可能な限り熱的トリガ素子から離すことで行われていた。電気機械式スイッチング装置の物理的な大きさをより小型に構成しなければならない場合には、それに応じて所要の距離をとることはきわめて困難になる。
【０００６】
発明の概要
本発明の課題は、十分な限界電流安定性を有し、尚負荷または電気線路を保護するためのより小型の電気機械式スイッチング装置の開発を可能にすることである。
【０００７】
前記課題は、少なくとも１つの熱的トリガ素子と少なくとも１つのスイッチング装置内部の熱源を有する請求項１に記載の電気機械式スイッチング装置によって解決される。すなわち本発明によれば、電気機械式スイッチング装置が少なくとも１つの熱的トリガ素子に対して、スイッチング装置内部の熱源の少なくとも１つからの熱的結合部を有している。したがって障害パラメータの熱形成はアクティブに熱的トリガ素子に伝達され、この熱的トリガ素子はそのトリガ特性を調整するために、障害パラメータに対して反応することができる。このことは限界電流特性の安定化に寄与する。さらに付加的に冷却するための手段、例えばコンタクト領域を付加的に冷却するための手段が提供される。なぜなら、熱が熱的結合部によって熱源から放熱されるためである。それ故に出力密度も高められる。
【０００８】
本発明の課題は、電気線路または負荷を保護するための電気機械式スイッチング装置において、障害パラメータを電気機械式スイッチング装置内で阻止するために熱的結合部を使用することによっても解決できる。
【図面の簡単な説明】
【０００９】
【図１】本発明による電気機械式スイッチング装置の実施例を示した図
【００１０】
従属請求項では種々の有利な本発明の実施可能性が記載されている。
【００１１】
特に有利であるのは、障害パラメータの熱的結合部が熱的トリガ素子の補償ストリップの間に取り付けられる場合である。このことにより電気機械式スイッチング装置のとりわけコンパクトな構造が実現できる。というのは、同じ位相または場合によってはほかの位相のためにもさらなる補償ストリップが必要とされないためである。この補償ストリップが、電気機械式スイッチング装置の周辺温度を受容し、１つないし複数の障害パラメータに起因するトリガ特性を熱的トリガ素子の少なくとも１つによって調整するように形成されるならば、同じ補償ストリップで周辺温度の影響と１つまたは複数の障害パラメータの影響も同時に即座に補償することができる。
【００１２】
電気機械式スイッチング装置が三相交流適用のための多相スイッチング装置であり、熱的結合部が３相のうちの少なくとも２つの位相のスイッチング装置内部の熱源を熱的に結合する場合には、ただ１つの熱的な補償ストリップを備えたスイッチング装置が場合によっては構成されてもよい。補償ストリップを例えば障害パラメータの接触接続に対して使用する場合には、３つのすべての位相が熱的に結合され得る。それ故に３つの位相の間での障害パラメータの熱的な補償が行われ、その結果として簡素な構成が実現できる。この補償ストリップは周辺温度と障害パラメータである３つのすべての位相の接触接続の抵抗増大を補償するために用いられる。
【００１３】
熱的結合部は好適には少なくとも１つの伝熱性の重合体、共重合体、セラミックスおよび／または電気絶縁性で良好な伝熱材料から構成できる。
【００１４】
以下では本発明を図示した図面に関連して詳細に説明する。
【００１５】
電気機械式スイッチング装置１０の１つの位相には２つの電気線路１１、例えばケーブルが接続されている。三相交流適用のためには、原則的に２つまたは３つの位相が必要とされる。そのためにスイッチング装置１０は２つまたはそれ以上の端子１０４を有し、これらは図においてねじ込み端子として形成されている。
【００１６】
これらの端子１０４はそれぞれ固定スイッチ部分１０８に接続されている。１つまたは複数の可動スイッチ部分１０９の運動によって、位相が切換えられる。この可動スイッチ部分１０９が動く場合には、可動スイッチ部分１０９のコンタクト１０１は固定スイッチ部分１０４と１０８のコンタクト１０１に接近、または離間するように運動する。
【００１７】
可動スイッチ部分１０９のコンタクト１０１が固定スイッチ部分１０８のコンタクト１０１に対して静止している場合には、端子１０４は両側で接続される。それ故に電気機械式スイッチング装置１０は位相を接続する。
【００１８】
可動スイッチ部分１０９のコンタクト１０１が固定スイッチ部分１０８のコンタクト１０１から離れている場合には、電気機械式スイッチング装置１０は位相を分離する。
【００１９】
障害パラメータは付加的な熱源を有する。以下ではこの熱源という概念が１つないし複数の障害パラメータから生じる熱源に対して用いるものとする。
【００２０】
生じ得るさらなる熱源としては、ケーブル１１が小さすぎる締め付けトルクを用いて端子１０４に固定され得る。さらに、ケーブル１１の端部における汚れ、油脂または腐食が存在する可能性もあるために、良好な導電性のコンタクトが固定スイッチ部分１０８とケーブル１１との間に存在しない可能性がある。このことは接続領域において、例えば新規で的確な接続の場合よりも、付加的に高められた損失出力につながる。
【００２１】
また、コンタクト１０１はコンタクトの摩耗または汚れによってその機能性が変化することがあり、これにより損失熱が発生する。すなわち新規の状態よりもコンタクト領域における損失出力が著しく増大する。それ故に端子１０４は装置内部の熱源として機能し得る。
【００２２】
可動スイッチ部分１０９，固定スイッチ部分１０８または端子１０４の温度は、１つないし複数の熱的結合部１０６，１０７，１１０を通る熱移動により補償ストリップ１０５へ伝達できる。この補償ストリップ１０５は、障害パラメータであるコンタクトまたは端子の熱形成をシミュレートしており、このような方法で熱的トリガ素子１０２のトリガ特性を調整するために障害パラメータにアクティブに反応することができる。それに対して熱的トリガ素子１０２における熱的結合は、いわゆる補償ストリップとしてバイメタル形態で実施されてもよい。これらの補償ストリップはそれぞれの障害源に応じて対応するべきである。
【００２３】
本発明の特徴部分によれば、障害パラメータを補償ストリップ１０に熱的に結合することにより、障害パラメータにアクティブに作用することができる。
【００２４】
この電気機械式スイッチング装置１０はパワースイッチ、リミッタまたは小型分岐盤であってもよい。あるいは、電気機械式スイッチング装置１０がただ１つのパワースイッチまたはただ１つのリミッタまたはただ１つの小型分岐盤を含んでいる装置であることも可能である。
【００２５】
さらに顧客にとって付加的な利点は、スイッチング装置１０のトリガポイントないし限界電流を例えば短絡後に、またはコンタクト１０１ないし端子１０４の過渡的な抵抗へのほかの影響にしたがって再調整する必要がないということである。トリガポイントの再調整も回避できる。
【００２６】
また有利には、少なくとも１つのスイッチング装置内部の熱源１０１，１０４，１０８，１０９は、少なくとも１つの電気線路１１に対する少なくとも１つの端子１０４、少なくとも１つの固定スイッチ部分１０８、少なくとも１つの可動スイッチ部分１０９および／または少なくとも１つのコンタクト１０１を含んでいる。
【図１】
2010516031.tif 000003
【国際調査報告】
2010516031.tif 000004
2010516031.tif 000005
2010516031.tif 000006
2010516031.tif 000007